(57)【特許請求の範囲】
【請求項１】
ピニオンを有する回転モータにより動力供給されるスプレーポンプであって、
ハウジングと、
ポンプロッドを有するとともに前記ハウジングに接続された単動ピストンポンプと、
ギヤと該ギヤ上に配置された偏心部とを含む駆動ギヤアセンブリと、
前記偏心部の周囲に配置された軸受と、
前記ハウジング内において前記軸受の周囲で往復自在に配置されたヨークと、
を有し、
前記ヨークに作用するスラスト荷重を減少させるとともに前記ギアのシャフト及び前記軸受に作用するポンプ力をオフセット及び減少させるために、前記ヨークの中心線及び前記偏心部の回転中心が前記ポンプの中心線からオフセットしている、スプレーポンプ。
【請求項２】
前記ギヤの歯が５°のねじり角と２５°の圧力角で形成される、請求項１のスプレーポンプ。
【発明の詳細な説明】
【０００１】
（技術分野）
塗料その他の被覆剤をスプレーするためのエアレススプレーポンプ。
【０００２】
（背景技術）
エアレス方法を用いて塗料その他の被覆剤をスプレーするためのエアレススプレーポンプは周知であり、従来より、下層市場向けのダイアフラムポンプと上層向け往復ピストンポンプという二種類に分類されている。
【０００３】
（発明の開示）
エアレススプレーポンプは、低コストのヨーク駆動装置の使用を可能にする単動ピストンポンプを備える。最も効率的に力を利用するため、モータとポンプシャフトはオフセットしている。メイン駆動ハウジングは、後部に取り付けられたモータを有する。ギヤアセンブリは、５°のねじり角で形成されるとともに２５°の圧力角を持つ歯を使用する。この幾何学的形状により、平歯車の高い効率とらせん設計の典型的特徴である騒音低減性とが組み合わされる。
【０００４】
ギヤアセンブリの前部には偏心部が成形され、その周囲には、ヨーク内に支持される軸受アセンブリが設けられる。ヨークは、駆動ハウジングのポケットに保持されたガイドロッドに対して上下に移動する。ヨークはギヤアセンブリと同様にプラスチックで成形されるため、低コストで簡単に製造できる。
【０００５】
ポンプロッドの上端には、軸受を有するキャップが設けられる。ポンプアセンブリは単動ポンプとして設計されている。つまりポンプは、下向き行程ではポンプ作用のみを行い、下向き行程で負荷を受けるのである。ヨークは最終的には力印加装置というよりは案内装置となるので、ヨークとギヤを含む駆動列の部品をはるかに軽量にすることが可能である。
【０００６】
モータとピニオンは、ポンプアセンブリの中心線からオフセットしている。ポンプロッドとピニオンとヨークと偏心部とキャップとがすべて同一平面上に配置されるので、このような構成は、極端な片持ち梁構造とはならない。ギヤ中心線に対するロッドと単動ポンプの位置により、ヨークへのスラスト荷重が減少する。ギヤにおけるピニオンの位置は部分的にオフセットしており、ギヤシャフトと軸受に対するポンプ力を減少させる。圧入されたポンプロッドキャップの端部に偏心軸受を直接配置することにより、ヨークなどの中間部材を介してポンプ力が伝達されることがなく、寿命を長くし効率を上げ、より安価なヨークアセンブリの製造を可能にする。
【０００７】
軸パッキンアセンブリは、ポンプハウジングにねじ込まれるとともに、スロートシール潤滑剤または他の溶剤や潤滑剤が含浸されたフェルト部材を含むパッキンハウジングを含む。Ｖ字パッキング積層体は、シールハウジングをポンプハウジングに締め付けることにより締め付けられる波形ばねにより、所定位置に圧縮される。
【０００８】
入口チェックは、チェックボールと、チェックハウジングに圧入されるとともにリテーナにより所定位置に保持されるチェックシートとを備える。これらの部品はすべて、交換するには、完成したアセンブリをメインポンプハウジングにねじ込むだけでよいように、相互に圧入されている。同じように、ポンプハウジングにねじ込まれる出口チェックハウジングから形成される出口チェックアセンブリは、リテーナにより所定位置に保持されるチェックボールを同様に備える。この出口通路は、ポンプシャフトの軸線に対して角度を成している。これにより出口チェックアセンブリは本質的に重力により作動し、本質的に上下方向のボール・シート関係を維持しながら１本の通路を穿孔により設けることのみが必要となる。
【０００９】
本発明の以上および他の目的と長所は、添付図面に関連して行なう以下の説明から、より完全に明らかと成り、図面において同様の参照符号は、複数の図を通して同一または同様の部品を指す。
【００１０】
（発明を実施するための最良の形態）
全体を１０で示した本発明は、モータ１４が後部に取り付けられたメイン駆動装置ハウジング１２を含む。後部軸受１７とギヤ歯２２とを有するギヤアセンブリ１６は、駆動装置ハウジング１２の軸受ハウジング２０に挿入されている。ギヤアセンブリ１６のギヤ歯２２は、モータ１４端部のピニオン２４の歯と係合する。歯２２とピニオン２４の歯とは、５°のねじり角で形成され、２５°の圧力角を持つ。この幾何学的形状により、平歯車の持つ高い効率とらせん設計の典型的特徴である騒音低減性とが組み合わされる。
【００１１】
ギヤアセンブリ１６の前部には偏心部２５も成形され、その周囲には、ヨーク３０内に支持される軸受ハウジング２８が配置されている。ヨーク３０は、駆動ハウジング１２のポケット３４に保持されたガイドロッド３２に対して上下方向に移動する。ヨーク３０はプラスチックから成形される。ギヤアセンブリ１６は一体的な釣合いおもりとともにＺＡ−１２で鋳造され、製造が低コストで簡単となる。
【００１２】
ポンプロッド３６は、上に軸受２８を有するキャップ３８を上端に備える。ポンプアセンブリ４０は、下向き行程でポンプ動作のみを行い、上向き行程で負荷を受けるポンプである、単動ポンプとして設計される。その際に、ヨーク３０は最終的に力印加装置というよりは案内装置となるので、ヨークとギヤを含む駆動列の部品をはるかに軽量にすることが可能である。
【００１３】
図２からより詳細に分かるように、モータとピニオン２４は、ポンプアセンブリ４０の中心線からオフセットしており、軸受２０もやはり、反対方向にオフセットしている。また、ポンプロッドとピニオンとヨークと偏心部とキャップとがすべて同一平面上に配置されているので、この構成は極端な片持ち梁構造とはならない。ギヤ中心線に対するロッドと単動ポンプとの位置により、ヨークに対するスラスト荷重が減少する。ギヤのピニオンの位置は部分的にオフセットしており、ギヤシャフトと軸受に対するポンプ力を低下させる。圧入されたポンプロッドキャップの端部に偏心軸受を直接配置することにより、ヨークなどの中間部材を介してポンプ力が伝達されることがなくなり、寿命を長くし、効率を高めて、より安価なヨークアセンブリの製造を可能にする。
【００１４】
図４に図示された軸パッキンアセンブリ４４は、ポンプハウジング４８にねじ込まれるとともに、スロートシール潤滑剤または他の溶剤や潤滑剤が含浸されたフェルト部材５０を含むパッキンハウジング４６を含む。Ｖ字パッキン積層体５２は、シールハウジング４６をポンプハウジング４８に締め付けることにより締付けられる波形ばね５４により、所定位置に圧縮される。
【００１５】
さて図７において、入口チェック５６は、チェックボール５８と、チェックハウジング６２に圧入されるとともにリテーナにより所定位置に保持されるチェックシート６０と、一体的ボールガイド６４とを備える。交換するには、完成アセンブリをメインポンプハウジング４８にねじ込むだけで済むように、これらの部品はすべて相互に圧入されている。同じように、ポンプハウジング４８にねじ込まれる出口チェックハウジング６０から形成される出口チェックアセンブリは、ボールシート６５により所定位置に保持されるチェックボール６２を同様に備える。やはり図７に見られるように、出口通路６６は、ポンプシャフト３６の軸線に対して角度を成している。これにより出口チェックアセンブリ５８は、本質的に重力によって作動し、本質的に上下方向のボール・シート関係を維持しながら、１本の通路を穿孔により設けるだけでよい。
【００１６】
図８と９には、ポンプアセンブリ４０の通路８４に収容されるフィルタ要素８２を含むとともに、管継手８６により保持される出口フィルタアセンブリ８０が示されている。
【００１７】
さて図１０において、入口管７０は、雌ねじ端部７０ａを備える。入口フィルタスクリーンアセンブリ７２は、端部７０ａとねじ係合するための雄ねじ端部７２ａを有する。端部７０ａと７２ａは、ユーザがスクリーンアセンブリ７２を取り外し、入口管７０にガーデンホースを取り付け、水を流し、アセンブリを水洗するだけでよいように、一般的なガーデンホースと同一のサイズおよびねじ山を使用している。
【００１８】
以下の特許請求の範囲により定義される本発明の趣旨と範囲から逸脱せずに、エアレススプレーポンプに様々な変更や変形を加えられることが予想できるであろう。
【図面の簡単な説明】
【図１】  本発明によるエアレススプレーポンプを示す斜視分解図である。
【図２】  本発明による駆動装置アセンブリとポンプを示す概略正面図である。
【図３】  図１に示されたアセンブリの側面図である。
【図４】  図３の円形範囲を示す詳細な分解図である。
【図５】  本発明によるポンプを示す横断面図である。
【図６】  本発明による駆動装置アセンブリのより詳細な図である。
【図７】  本発明のポンプ部を示す別の横断面図である。
【図８】  本発明の出口フィルタを示す横断面図である。
【図９】  本発明の出口フィルタを示す分解図である。
【図１０】  本発明の斜視分解図である。
【図１】
0004668493.tif 000002
【図２】
0004668493.tif 000003
【図３】
0004668493.tif 000004
【図４】
0004668493.tif 000005
【図５】
0004668493.tif 000006
【図６】
0004668493.tif 000007
【図７】
0004668493.tif 000008
【図８】
0004668493.tif 000009
【図９】
0004668493.tif 000010
【図１０】
0004668493.tif 000011